(57)【特許請求の範囲】
【請求項１】
ナースコール子機で呼び出しが行われたことをナースコール親機および携帯用ナースコール親機の少なくとも一方に対して画像の表示により報知するように成されたナースコールの画像表示制御システムであって、
上記ナースコール子機の識別情報および呼出種別情報を含む呼出信号を入力したときに、上記ナースコール親機および携帯用ナースコール親機の少なくとも一方に対して上記呼出信号を送信する呼出信号送信部と、
上記呼出信号に含まれる上記呼出種別情報に基づいて、上記ナースコール子機の一種である医療機器からのＭＥ呼出が発生したか否かを判定する呼出種別判定部と、
上記呼出種別判定部により上記ＭＥ呼出が発生したと判定された場合に、上記医療機器から測定結果を示すＭＥ画像を取得するＭＥ画像取得部と、
上記ＭＥ画像取得部により取得された上記ＭＥ画像を記憶装置の所定のロケーションに格納する画像格納部と、
上記ナースコール親機および携帯用ナースコール親機の少なくとも一方において応答のための操作が行われたことを検出する応答操作検出部と、
上記呼出信号送信部により送信された上記呼出信号を上記ナースコール親機および携帯用ナースコール親機の少なくとも一方において受信した後、上記応答操作検出部により上記応答のための操作を検出したときに、上記所定のロケーションに格納されている上記ＭＥ画像を上記記憶装置から取得して表示するように制御する画像表示制御部と、
上記呼出信号に含まれる上記識別情報に対応付けられた患者情報を含む呼出画像を取得する呼出画像取得部とを備え、
上記画像格納部は、上記呼出画像取得部により取得された上記呼出画像を上記記憶装置の所定のロケーションに格納するとともに、上記ＭＥ画像取得部により上記ＭＥ画像が取得された場合には当該ＭＥ画像を上記記憶装置の所定のロケーションに格納し、
上記画像表示制御部は、上記呼出信号送信部により送信された上記呼出信号を上記ナースコール親機および携帯用ナースコール親機の少なくとも一方において受信したときに、上記所定のロケーションをアクセス先とする所在情報に基づき上記記憶装置にアクセスし、上記所定のロケーションに格納されている上記呼出画像を上記記憶装置から取得して表示するとともに、上記応答操作検出部により上記応答のための操作を検出したときに、上記所定のロケーションをアクセス先とする所在情報に基づき上記記憶装置にアクセスし、上記所定のロケーションに格納されている上記ＭＥ画像を上記記憶装置から取得して、上記呼出画像に代えて上記ＭＥ画像を表示するように制御することを特徴とするナースコールの画像表示制御システム。
【請求項２】
上記呼出画像取得部により取得された上記呼出画像を上記記憶装置の第１の所定のロケーションに格納するとともに、上記ＭＥ画像取得部により上記ＭＥ画像が取得された場合には当該ＭＥ画像を上記記憶装置の第２の所定のロケーションに格納し、
上記画像表示制御部は、上記呼出信号送信部により送信された上記呼出信号を上記ナースコール親機および携帯用ナースコール親機の少なくとも一方において受信したときに、上記第１の所定のロケーションをアクセス先とする所在情報に基づき上記記憶装置にアクセスし、上記第１の所定のロケーションに格納されている上記呼出画像を上記記憶装置から取得して表示するとともに、上記応答操作検出部により上記応答のための操作を検出したときに、上記第２の所定のロケーションをアクセス先とする所在情報に基づき上記記憶装置にアクセスし、上記第２の所定のロケーションに格納されている上記ＭＥ画像を上記記憶装置から取得して、上記呼出画像に代えて上記ＭＥ画像を表示するように制御することを特徴とする請求項１に記載のナースコールの画像表示制御システム。
【発明の詳細な説明】
【技術分野】
【０００１】
本発明は、ナースコールの画像表示制御システムに関し、特に、ナースコール子機からの呼び出しをナースコール親機や携帯用ナースコール親機へ報知するようになされたナースコールシステムに適用して好適なものである。
【背景技術】
【０００２】
一般に、病院や介護施設などで使われるナースコールシステムは、患者や被介護者（以下、単に患者という）が医師や看護師、介護師（以下、単に看護師という）のサポートを必要とする際に、患者がナースコール子機の呼出ボタン等を押下することによって看護師を呼び出すことができるように成されたシステムである。
【０００３】
多くのナースコールシステムでは、ナースセンタに設置されたナースコール親機への呼び出しを行うが、ＰＢＸ（Private Branch Exchange）を介して看護師が携帯するＰＨＳ（Personal Handyphone System）端末への呼び出しを行うナースコールシステムも提供されている。近年では、ＳＩＰ（Session Initiation Protocol）サーバを備え、ＩＰ（Internet Protocol）電話への呼び出しを行うナースコールシステムも提案されている（例えば、特許文献１参照）。
【０００４】
この特許文献１に記載のナースコールシステムは、室内の患者から呼び出しおよび通話を行うナースコール子機と、ナースコール子機からの呼び出し（呼出元、呼出先、呼出時間等の呼出履歴）を表示し応答通話を行うナースコール親機および携帯用ナースコール親機（ＩＰ電話）とで構成する。そして、ナースコール親機およびＩＰ電話を、内線同士を接続するＳＩＰサーバにより相互に接続している。
【０００５】
また、ナースコール子機からの呼出情報に加えてカメラの撮影映像をナースコール親機に送信するようにしたＷＥＢナースコール装置も提案されている（例えば、特許文献２参照）。この特許文献２に記載のＷＥＢナースコール装置では、カメラと、当該カメラの映像信号およびナースコール子機からの呼出情報を介護施設へ送信するＷＥＢアダプタとを被介護者宅に備え、介護施設はナースコール親機を備えている。ナースコール親機では、呼出情報で示される呼出者の情報を記憶部から読み出し、送られてきた映像信号と共にディスプレイに表示する。
【０００６】
これらの特許文献１，２を含む従来のナースコールシステムでは、ナースコール親機や携帯用ナースコール親機に対する呼び出しの報知が、呼出音の鳴動とモニタ画面への表示とによって行われる。例えば、ナースコール子機から呼び出しが行われると、ナースコール親機や携帯用ナースコール親機にて呼出音が鳴るとともに、呼び出しを行った患者の氏名、部屋番号などの患者情報がモニタ画面に表示される。患者情報に加えて、一般呼出／緊急呼出／ＭＥ呼出などの呼出種別を表示するように成されたシステムも存在する。なお、ＭＥ呼出は、ナースコール子機に接続された医療機器（Medical Equipment）において患者の異常を検出したときに行われる呼び出しである。
【０００７】
ナースコール子機からの呼び出しがあったときに、ナースコール親機や携帯用ナースコール親機のモニタ画面に呼出種別を表示するナースコールシステムによれば、看護師が呼び出しの緊急度を把握して、緊急度の高い呼び出しに対して迅速に応答するなどの適切な対応をとることができる。
【先行技術文献】
【特許文献】
【０００８】
【特許文献１】特開２０１０−２３２７５８号公報
【特許文献２】特開２００５−２０４２４５号公報
【発明の概要】
【発明が解決しようとする課題】
【０００９】
しかしながら、従来のナースコールシステムでは、ＭＥ呼出が発生した場合、看護師は呼出種別の表示を見ることによってＭＥ呼出であることまでは把握できるものの、医療機器の測定結果にどのような異常が発生しているかは把握することができないという問題があった。
【００１０】
本発明は、このような問題を解決するために成されたものであり、ＭＥ呼出が発生した場合に、医療機器の測定結果にどのような異常が発生しているかまで報知できるようにすることを目的とする。
【課題を解決するための手段】
【００１１】
上記した課題を解決するために、本発明では、医療機器からのＭＥ呼出が発生した場合に、医療機器から測定結果を示すＭＥ画像を取得して記憶装置の所定のロケーションに格納する。そして、ナースコール親機および携帯用ナースコール親機の少なくとも一方において呼出信号を受信した後、応答のための操作を検出したときに、所定のロケーションにアクセスし、記憶装置に格納されているＭＥ画像を取得して表示する。また、呼出信号に含まれる識別情報に対応付けられた患者情報を含む呼出画像を取得して、当該呼出画像を記憶装置の所定のロケーションに格納するとともに、ＭＥ画像が取得された場合には当該ＭＥ画像を記憶装置の所定のロケーションに格納する。そして、ナースコール親機および携帯用ナースコール親機の少なくとも一方において呼出信号を受信したときに、所定のロケーションをアクセス先とする所在情報に基づき記憶装置にアクセスし、所定のロケーションに格納されている呼出画像を記憶装置から取得して表示するとともに、応答のための操作を検出したときに、所定のロケーションをアクセス先とする所在情報に基づき記憶装置にアクセスし、所定のロケーションに格納されているＭＥ画像を記憶装置から取得して、呼出画像に代えてＭＥ画像を表示する。
【発明の効果】
【００１２】
上記のように構成した本発明によれば、ＭＥ呼出が発生した場合、所定のロケーションに対して医療機器の測定結果を示すＭＥ画像が格納される。その後、ナースコール親機や携帯用ナースコール親機において応答のための操作が行われたことが検出されると、ナースコール親機や携帯用ナースコール親機から所定のロケーションに対してアクセスが行われてＭＥ画像が取得され、当該ＭＥ画像が表示される。これにより、ＭＥ呼出が発生したということだけでなく、医療機器の測定結果にどのような異常が発生しているかまでＭＥ画像の表示により報知することができる。
【図面の簡単な説明】
【００１３】
【図１】本実施形態によるナースコールの画像表示制御システムの機能構成例を示すブロック図である。
【図２】図１に示す画像表示制御システムを適用した本実施形態によるナースコールシステムの全体構成例を示す図である。
【図３】本実施形態によるナースコールシステムの動作例を示すフローチャートである。
【発明を実施するための形態】
【００１４】
以下、本発明の一実施形態を図面に基づいて説明する。図１は、本実施形態によるナースコールの画像表示制御システムの機能構成例を示すブロック図である。図２は、図１に示す画像表示制御システムを適用した本実施形態によるナースコールシステムの全体構成例を示す図である。本実施形態のナースコールシステムは、ナースコール子機で呼び出しが行われたことを携帯用ナースコール親機に対して呼出音の出力および画像の表示により報知するものである。
【００１５】
図１に示すように、本実施形態によるナースコールの画像表示制御システムは、その機能構成として、呼出信号送信部１０１、呼出画像取得部１０２、呼出種別判定部１０３、ＭＥ画像取得部１０４、画像格納部１０５、オフフック検出部１０６（特許請求の範囲の応答操作検出部に相当）、画像表示制御部１０７および画像サーバ１１（特許請求の範囲の記憶装置に相当）を備えている。
【００１６】
また、図２に示すように、本実施形態のナースコールシステムは、ハンド形子機１、医療機器２、壁埋込形子機３、廊下灯４、制御機５、ナースコール親機６、ＩＰアダプタ７、ＳＩＰサーバ８、無線送受信機９、ＩＰ携帯電話１０および画像サーバ１１を備えて構成されている。なお、ハンド形子機１、医療機器２および壁埋込形子機３が特許請求の範囲のナースコール子機に相当し、ＩＰ携帯電話１０が特許請求の範囲の携帯用ナースコール親機に相当する。
【００１７】
まず、図１に基づいて説明する。呼出信号送信部１０１は、ナースコール子機の識別情報および呼出種別情報を含む呼出信号を入力したときに、ＩＰ携帯電話１０に対して呼出信号を送信する。この呼出信号送信部１０１の機能は、図２に示すＳＩＰサーバ８が備えている。なお、ＳＩＰサーバ８の機能については、図２を用いて後述する。
【００１８】
呼出画像取得部１０２は、ナースコール子機の識別情報および呼出種別情報を含む呼出信号を入力したときに、当該呼出信号に含まれる識別情報に対応付けられた患者情報を含む呼出画像（描画形式の画像のほか、テキスト情報をレイアウトして構成した画像等を含む）を取得する。
【００１９】
呼出種別判定部１０３は、呼出信号に含まれる呼出種別情報に基づいて、医療機器２からのＭＥ呼出が発生したか否かを判定する。ＭＥ画像取得部１０４は、  呼出種別判定部１０３によりＭＥ呼出が発生したと判定された場合に、医療機器２から測定結果を示すＭＥ画像を取得する。
【００２０】
画像格納部１０５は、呼出画像取得部１０２により取得された呼出画像をＨＴＭＬ（HyperText Markup Language）画像として画像サーバ１１の第１の所定のロケーションに格納するとともに、ＭＥ画像取得部１０４によりＭＥ画像が取得された場合には当該ＭＥ画像をＨＴＭＬ画像として画像サーバ１１の第２の所定のロケーションに格納する。
【００２１】
例えば、あるナースコール子機から出力された呼出信号が呼出画像取得部１０２に入力されると、そのナースコール子機に対応した呼出画像が呼出画像取得部１０２により取得され、画像格納部１０５により画像サーバ１１の第１の所定のロケーションに格納される。
【００２２】
また、その呼出信号に含まれる呼出種別情報に基づいて、医療機器２からのＭＥ呼出であることが検出された場合には、ＭＥ画像取得部１０４により医療機器２からＭＥ画像が取得され、画像格納部１０５により画像サーバ１１の第２の所定のロケーションに格納される。一方、ＭＥ呼出であることが検出されなかった場合には、画像サーバ１１の第２の所定のロケーションにおける記憶内容はクリアされる（ＭＥ画像が格納されていない状態とされる）。
【００２３】
なお、呼出画像取得部１０２、呼出種別判定部１０３、ＭＥ画像取得部１０４および画像格納部１０５の機能は、図２に示すナースコール親機６が備えている。ナースコール親機６の機能については、図２を用いて後述する。
【００２４】
オフフック検出部１０６は、ＩＰ携帯電話１０においてオフフックされたことを検出する。このオフフック検出部１０６の機能は、図２に示すＩＰ携帯電話１０が備えている。なお、ＩＰ携帯電話１０の機能については、図２を用いて後述する。
【００２５】
画像表示制御部１０７は、呼出信号送信部１０１により送信された呼出信号を受信したときに、第１の所定のロケーションをアクセス先とする所在情報（例えば、あらかじめ設定しておいた第１のＵＲＬ１）に基づき画像サーバ１１にアクセスする。そして、第１の所定のロケーションに格納されている呼出画像を画像サーバ１１から取得し、ＩＰ携帯電話１０のモニタ画面に表示させるように制御する。
【００２６】
また、画像表示制御部１０７は、オフフック検出部１０６によりオフフックが検出されたときに、第２の所定のロケーションをアクセス先とする所在情報（例えば、あらかじめ設定しておいた第２のＵＲＬ２）に基づき画像サーバ１１にアクセスする。そして、第２の所定のロケーションに格納されているＭＥ画像を画像サーバ１１から取得して、呼出画像に代えてＭＥ画像をＩＰ携帯電話１０のモニタ画面に表示させるように制御する。
【００２７】
なお、この画像表示制御部１０７の機能も、図２に示すＩＰ携帯電話１０が備えている。画像表示制御部１０７（ＩＰ携帯電話１０）と画像サーバ１１との間は、例えばＨＴＴＰ（HyperText Transfer Protocol）に基づく通信ネットワークを介して接続される。
【００２８】
次に、図２に基づいて説明する。ハンド形子機１は、各患者のベッド脇に設置され、看護師の一般呼出を指示するための一般呼出ボタン、緊急呼出を指示するための緊急呼出ボタンなどを備えている。患者が必要に応じて何れかの呼出ボタンを押下すると、ハンド形子機１は、押下された呼出ボタンに対応する呼出種別の情報を含む呼出信号を出力する。例えば、患者が一般呼出ボタンを押下すると、ハンド形子機１は、一般呼出であることを示す呼出種別情報を含む呼出信号を出力する。
【００２９】
医療機器２は、人工呼吸器または心電計などの生体モニタである。医用機器２は、患者の状態が異常と判断された場合（例えば、人工呼吸器または心電計などで異常値が測定された場合など）に、ＭＥ呼出であることを示す呼出種別の情報を含む呼出信号を出力する。また、医療機器２は、ナースコール親機６から制御機５、廊下灯４、壁埋込形子機３を介してＭＥ画像取得命令が送られてきたときに、医療機器２での測定結果を示すＭＥ画像を生成して出力する。
【００３０】
壁埋込形子機３は、病室の各ベッドサイドの壁に埋め込み設置される。この壁埋込形子機３は、ハンド形子機１および医療機器２が接続される接続端子を備えている。また、壁埋込形子機３は、廊下灯４に接続されている。壁埋込形子機３は、ハンド形子機１または医療機器２から呼出信号を受けると、呼出元の識別情報（例えば、壁埋込形子機３の接続端子番号）および呼出種別情報を含む呼出信号を廊下灯４に出力する。また、壁埋込形子機３は、医療機器２からＭＥ画像を入力すると、それを廊下灯４に転送する。
【００３１】
廊下灯４は、各病室に設置される。廊下灯４は、複数の壁埋込形子機３が接続される複数の入力ポートを備え、どの入力ポートから呼出信号を受けたかに応じて、呼出信号の供給元である壁埋込形子機３を示す情報（例えば、ベッド番号）を特定する。そして、廊下灯４は、壁埋込形子機３の接続端子番号およびベッド番号に廊下灯４の識別情報（例えば、部屋番号）を加えて呼出元であるナースコール子機の識別情報を生成し、当該識別情報および呼出種別情報を含む呼出信号を制御機５に出力する。また、廊下灯４は、壁埋込形子機３からＭＥ画像を入力すると、それを制御機５に転送する。
【００３２】
制御機５は、廊下灯４とナースコール親機６との間に接続され、廊下灯４から供給された呼出信号をナースコール親機６に出力する。また、制御機５は、廊下灯４からＭＥ画像を入力すると、それをナースコール親機６に転送する。制御機５にはＩＰアダプタ７も接続されている。制御機５は、廊下灯４から呼出信号が供給されたときに、その呼出信号に含まれているナースコール子機の識別情報および呼出種別情報に加えて、呼出先のＩＰ携帯電話１０の識別情報を含む呼出信号を生成してＩＰアダプタ７に出力する。
【００３３】
ナースコール親機６は、ナースセンタに設置されている。このナースコール親機６は、壁埋込形子機３を識別するための子機識別情報（部屋番号およびベッド番号）と、その壁埋込形子機３があるベッドを使用している患者の情報（氏名、年齢など）とを対応付けた患者テーブルを図示しないメモリに保持している。また、ナースコール親機６は、上述した子機識別情報と、その子機識別情報に対応する患者の担当看護師が所持するＩＰ携帯電話１０の識別情報である電話番号情報とを対応付けた端末テーブルをメモリに保持している。
【００３４】
さらに、ナースコール親機６は、各患者に対応する患者情報を含む呼出画像を、それぞれの子機識別情報に対応付けて図示しない画像データベースに保存している。この呼出画像は、例えば、氏名や年齢などの患者情報に加えて、部屋番号やベッド番号などの情報を含んだ画像である。
【００３５】
ナースコール親機６は、制御機５から呼出信号を入力すると、看護師の呼び出しを行うべく所定の呼出音をスピーカから出力する。また、ナースコール親機６は、制御機５から入力した呼出信号に含まれるナースコール子機の識別情報に基づき画像データベースを参照して呼出画像を取得し（呼出画像取得部１０２の機能）、当該呼出画像をモニタ画面に表示する。なお、呼出画像の表示に加えまたは代えて、呼出信号に含まれるナースコール子機の識別情報に基づき患者テーブルを参照して患者情報を特定し、当該患者情報を部屋番号やベッド番号、呼出種別と共にモニタ画面に表示するようにしてもよい。
【００３６】
また、ナースコール親機６は、制御機５から入力した呼出信号に含まれる呼出種別情報に基づいて呼出種別がＭＥ呼出である否かを判定する（呼出種別判定部１０３の機能）。そして、ＭＥ呼出であることを検出した場合に、制御機５、廊下灯４、壁埋込形子機３を介して医療機器２に対してＭＥ画像取得命令を送信し、その応答として、医療機器２から測定結果を示すＭＥ画像を壁埋込形子機３、廊下灯４および制御機５を介して取得する（ＭＥ画像取得部１０４の機能）。
【００３７】
また、ナースコール親機６は、制御機５から入力した呼出信号に含まれるナースコール子機の識別情報に基づき画像データベースを参照して呼出画像を取得したときに、当該取得した呼出画像をＨＴＭＬ画像として画像サーバ１１の第１の所定のロケーションに格納する（画像格納部１０５の機能）。また、ナースコール親機６は、医療機器２からＭＥ画像を取得したときに、当該取得したＭＥ画像をＨＴＭＬ画像として画像サーバ１１の第２の所定のロケーションに格納する（画像格納部１０５の機能）。なお、ナースコール親機６において呼出種別がＭＥ呼出でないことを検出した場合には、ナースコール親機６は、画像サーバ１１の第２の所定のロケーションにおける記憶内容をクリアする。
【００３８】
また、ナースコール親機６は、制御機５から呼出信号を入力すると、その呼出信号に含まれるナースコール子機の識別情報に基づき端末テーブルを参照し、担当の看護師が所持するＩＰ携帯電話１０の電話番号情報を特定し、当該電話番号情報を制御機５に通知する。この通知を受けた制御機５は、上述のように、呼出元であるナースコール子機の識別情報および呼出種別情報に加えて、呼出先であるＩＰ携帯電話１０の電話番号情報を含む呼出信号を生成してＩＰアダプタ７に出力する。
【００３９】
ＩＰアダプタ７は、制御機５から呼出信号を入力したときに、その呼出信号をＳＩＰサーバ８に転送する。ＳＩＰサーバ８は、ＩＰアダプタ７から転送されてきた呼出信号を呼出先のＩＰ携帯電話１０に送信する（呼出信号送信部１０１の機能）。具体的には、ＳＩＰサーバ８は、ＩＰ携帯電話１０と通信するための無線送受信機９に接続されている。ＳＩＰサーバ８は、ＩＰアダプタ７から呼出信号を入力すると、無線送受信機９を介して、当該呼出信号に含まれる電話番号情報を利用して呼出先のＩＰ携帯電話１０に架電し、呼出信号を送信する。
【００４０】
ＩＰ携帯電話１０は、ＳＩＰサーバ８から呼出信号を受信したときに、所定の呼出音をスピーカから出力する。また、ＩＰ携帯電話１０は、第１の所定のロケーションをアクセス先とする第１のＵＲＬ１に基づいて画像サーバ１１にアクセスする。そして、第１の所定のロケーションに格納されている呼出画像を画像サーバ１１から取得し、モニタ画面に表示させるように制御する（画像表示制御部１０７の機能）。
【００４１】
また、ＩＰ携帯電話１０は、呼出音の鳴動および呼出画像の表示に応答して看護師がオフフックしたか否かを検出し（オフフック検出部１０６の機能）、オフフックが検出されたときに、第２の所定のロケーションをアクセス先とする第２のＵＲＬ２に基づいて画像サーバ１１にアクセスする。そして、第２の所定のロケーションに格納されているＭＥ画像を画像サーバ１１から取得し、呼出画像に代えてＭＥ画像をモニタ画面に表示させるように制御する（画像表示制御部１０７の機能）。
【００４２】
次に、上記のように構成した本実施形態によるナースコールシステムの動作を説明する。図３は、本実施形態によるナースコールシステムの動作例を示すフローチャートである。図３に示すフローチャートは、医療機器２からＭＥ呼出が発生したときに開始する。
【００４３】
医療機器２において測定結果に異常が発生すると、医療機器２は、ＭＥ呼出の呼出種別情報を含む呼出信号を出力する（ステップＳ１）。この呼出信号は、壁埋込形子機３および廊下灯４を介して制御機５に供給される。制御機５に供給される時点で、呼出信号はナースコール子機の識別情報（壁埋込形子機３の接続端子番号およびベッド番号、廊下灯４の部屋番号）と呼出種別情報とを含むものとなっている。
【００４４】
制御機５は、廊下灯４から供給された呼出信号をナースコール親機６に出力する（ステップＳ２）。この呼出信号を受けたナースコール親機６は、その呼出信号に含まれるナースコール子機の識別情報に基づき端末テーブルを参照し、呼び出しが行われた医療機器２を使用する患者の担当看護師が所持するＩＰ携帯電話１０の電話番号情報を呼出先として特定する（ステップＳ３）。そして、特定した電話番号情報を制御機５に通知する（ステップＳ４）。電話番号情報の通知を受けた制御機５は、廊下灯４より入力した呼出信号に含まれるナースコール子機の識別情報および呼出種別情報に加えて、電話番号情報を含む呼出信号を生成してＩＰアダプタ７に出力する（ステップＳ５）。
【００４５】
また、ナースコール親機６は、制御機５から供給された呼出信号に含まれるナースコール子機の識別情報に基づき画像データベースを参照し、当該識別情報に対応する呼出画像を取得する（ステップＳ６）。そして、取得した呼出画像をナースコール親機６のモニタ画面に表示するとともに、呼出音をスピーカから出力することによって呼び出しを行う（ステップＳ７）。さらに、ナースコール親機６は、ステップＳ６で取得した呼出画像を画像サーバ１１に供給する（ステップＳ８）。画像サーバ１１は、ナースコール親機６から供給された呼出画像を第１の所定のロケーションに格納する（ステップＳ９）。
【００４６】
次に、ナースコール親機６は、制御機５から入力した呼出信号に含まれる呼出種別情報に基づいて、ＭＥ呼出が発生したか否かを判定する（ステップＳ１０）。そして、ナースコール親機６は、ＭＥ呼出の発生を検出した場合、医療機器２に対してＭＥ画像取得命令を送信することにより、医療機器２から測定結果を示すＭＥ画像を取得する（ステップＳ１１）。
【００４７】
そして、ナースコール親機６は、当該取得したＭＥ画像を画像サーバ１１に供給する（ステップＳ１２）。画像サーバ１１は、ナースコール親機６から供給されたＭＥ画像を第２の所定のロケーションに格納する（ステップＳ１３）。なお、呼出種別がＭＥ呼出ではないと判定された場合、ステップＳ１１〜Ｓ１３の処理は行わない。
【００４８】
制御機５から呼出信号を受信したＩＰアダプタ７は、その呼出信号をＳＩＰサーバ８に転送する（ステップＳ１４）。ＳＩＰサーバ８は、ＩＰアダプタ７から転送されてきた呼出信号を呼出先のＩＰ携帯電話１０に送信する（ステップＳ１５）。すなわち、ＳＩＰサーバ８は、無線送受信機９を介して、呼出信号に含まれる電話番号情報を利用して呼出先のＩＰ携帯電話１０に架電し、呼出信号を送信する。この呼出信号を受信したＩＰ携帯電話１０は、所定の呼出音をスピーカから出力することによって呼び出しを行う（ステップＳ１６）。
【００４９】
また、ＩＰ携帯電話１０は、第１の所定のロケーションをアクセス先とする第１のＵＲＬ１に基づいて画像サーバ１１にアクセスし、第１の所定のロケーションに格納されている呼出画像を画像サーバ１１から取得する（ステップＳ１７）。そして、ＩＰ携帯電話１０は、画像サーバ１１から取得した呼出画像（医療機器２を使用する患者の情報を含む画像）をモニタ画面に表示させることによって呼び出しを行う（ステップＳ１８）。
【００５０】
この呼び出しを受けた看護師が、ＩＰ携帯電話１０をオフフックすると（ステップＳ１９）、そのことを検出したＩＰ携帯電話１０は、第２の所定のロケーションをアクセス先とする第２のＵＲＬ２に基づいて画像サーバ１１にアクセスし、第２の所定のロケーションに格納されているＭＥ画像を画像サーバ１１から取得する（ステップＳ２０）。そして、ＩＰ携帯電話１０は、画像サーバ１１から取得したＭＥ画像を呼出画像に代えてモニタ画面に表示させる（ステップＳ２１）。
【００５１】
なお、以上のフローチャートには図示していないが、ＩＰ携帯電話１０をオフフックした後にオンフックすると、ＭＥ画像が消されてモニタ画面は非表示とされる。また、ステップＳ１０で呼出種別がＭＥ呼出ではないと判断した場合、ナースコール親機６は画像サーバ１１に命令を出して、第２の所定のロケーションにおける記憶内容をクリアする。この場合、ステップＳ２０でＩＰ携帯電話１０が画像サーバ１１にアクセスしてＭＥ画像を取得しようとしても、ＭＥ画像を取得することはできない。その場合、ステップＳ２１でＭＥ画像は表示されず、ＩＰ携帯電話１０のモニタ画面は非表示となる。
【００５２】
以上詳しく説明したように、本実施形態では、医療機器２からのＭＥ呼出が発生した場合に、ナースコール親機６が呼出画像を画像データベースから取得して画像サーバ１１の第１の所定のロケーションに格納するとともに、医療機器２から測定結果を示すＭＥ画像を取得して画像サーバ１１の第２の所定のロケーションに格納する。そして、ＩＰ携帯電話１０において呼出信号を受信したときに、画像サーバ１１の第１の所定のロケーションから呼出画像を取得して表示し、その後オフフックを検出したときに、第２の所定のロケーションからＭＥ画像を取得して表示するようにしている。
【００５３】
このように構成した本実施形態によれば、ＭＥ呼出が発生した場合、ＩＰ携帯電話１０では、呼出信号の受信に応じて呼出画像が表示され、その後オフフックが検出されると、呼出画像に代えてＭＥ画像が表示される。これにより、ＭＥ呼出が発生したということだけでなく、医療機器２の測定結果にどのような異常が発生しているかまでＭＥ画像の表示により報知することができる。
【００５４】
なお、上記実施形態では、ＭＥ呼出が発生したときにＭＥ画像をＩＰ携帯電話１０にて表示する例について説明したが、本発明はこれに限定されない。例えば、ＩＰ携帯電話１０に加えまたは代えて、ナースコール親機６においてＭＥ画像を表示するようにしてもよい。
【００５５】
ナースコール親機６においてＭＥ画像を表示する場合、制御機５がナースコール親機６に対して呼出信号を送信する機能が、特許請求の範囲の呼出信号送信部に相当する。また、ナースコール親機６は、ナースコール親機６でのオフフックを検出する機能を備え、これが特許請求の範囲の応答操作検出部に相当する。また、ナースコール親機６は、医療機器２から取得したＭＥ画像を画像サーバ１１の所定のロケーション（上記実施形態における第２の所定のロケーションに相当する）に格納すればよく、画像データベースから取得した呼出画像は画像サーバ１１に格納する必要はない。
【００５６】
この場合、ナースコール親機６は、制御機５から送信された呼出信号を受信したときに、画像データベースから呼出画像を取得して表示するとともに、ナースコール親機６でのオフフックを検出したときに、画像サーバ１１にアクセスして所定のロケーションからＭＥ画像を取得して表示する。このナースコール親機６の機能が、特許請求の範囲の画像表示制御部に相当する。
【００５７】
なお、ここでは医療機器２から取得したＭＥ画像を画像サーバ１１に格納し、ナースコール親機６でオフフックを検出したときに画像サーバ１１にアクセスしてＭＥ画像を取得しているが、この例に限定されない。例えば、医療機器２から取得したＭＥ画像をナースコール親機６の図示しないメモリの所定のロケーションに格納し（この場合は、このメモリが特許請求の範囲の記憶装置に相当する）、ナースコール親機６でオフフックを検出したときに、当該メモリにアクセスして所定のロケーションからＭＥ画像を取得するようにしてもよい。
【００５８】
また、上記実施形態では、ＩＰ携帯電話１０でオフフックを検出したときに、画像サーバ１１の第２の所定のロケーションにアクセスしてＭＥ画像を取得する例について説明したが、本発明はこれに限定されない。例えば、以下のように構成してもよい。
【００５９】
すなわち、ＩＰ携帯電話１０でオフフックを検出したときに、そのことをナースコール親機６に通知し、第２の所定のロケーションにＭＥ画像が格納されているか否かを判定する。そして、ＭＥ画像が格納されていると判定したときに、ナースコール親機６からＭＥ画像取得命令を出力し、制御機５、ＩＰアダプタ７およびＳＩＰサーバ８を介してＩＰ携帯電話１０に送信する。
【００６０】
ＩＰ携帯電話１０は、ＭＥ画像取得命令を受信したときに、画像サーバ１１の第２の所定のロケーションにアクセスしてＭＥ画像を取得し、呼出画像に代えてＭＥ画像を表示する。なお、ＩＰ携帯電話１０では、ＳＩＰサーバ８からＭＥ画像取得命令を受信しない限り、オフフックを検出した後も、呼出画像を表示し続けるようにしてもよい。
【００６１】
また、上記実施形態では、ＩＰ携帯電話１０が呼出信号を受信したときにまず呼出画像を表示し、その後オフフックを検出したときにＭＥ画像に切り替えて表示する例について説明したが、本発明はこれに限定されない。例えば、ＩＰ携帯電話１０が呼出信号を受信したときに、呼出信号に含まれるナースコール子機の識別情報および呼出種別情報に基づいて、部屋番号やベッド番号、呼出種別を表示するようにしてもよい。ナースコール親機６がナースコール子機の識別情報に基づき患者テーブルを参照して特定した患者情報も呼出信号に含めて送信するようにすれば、当該患者情報も更に表示することができる。このような情報を表示した後、オフフックが検出されたら、ＩＰ携帯電話１０は画像サーバ１１にアクセスしてＭＥ画像を取得し、当該ＭＥ画像を表示する。
【００６２】
また、上記実施形態では、呼出画像は画像サーバ１１の第１の所定のロケーションに格納し、ＭＥ画像は画像サーバ１１の第２の所定のロケーションに格納する例について説明したが、本発明はこれに限定されない。例えば、呼出画像およびＭＥ画像を画像サーバ１１上の同じ所定のロケーションに格納するようにしてもよい。
【００６３】
例えば、ナースコール親機６が制御機５から呼出信号を入力したときに、画像データベースから呼出画像を取得し、画像サーバ１１の所定のロケーションに格納する。そして、ＩＰ携帯電話１０が呼出信号を受信したときに、画像サーバ１１にアクセスして所定のロケーションから呼出画像を取得し、モニタ画面に表示する。
【００６４】
その後、ＩＰ携帯電話１０でオフフックが検出されたときに、そのことをＳＩＰサーバ８、ＩＰアダプタ７および制御機５を介してナースコール親機６に通知する。ナースコール親機６はこの通知を受けて、呼出種別がＭＥ呼出であると判定されている場合には医療機器２からＭＥ画像を取得し、画像サーバ１１の所定のロケーションに格納する。その後、ＩＰ携帯電話１０が画像サーバ１１にアクセスし、所定のロケーションからＭＥ画像を取得してモニタ画面に表示する。
【００６５】
また、上記実施形態では、呼出画像取得部１０２および画像格納部１０５の機能をナースコール親機６が備える例について説明したが、本発明はこれに限定されない。例えば、これらの機能を制御機５が備えてもよいし、ＩＰアダプタ７が備えてもよい。呼出画像取得部１０２および画像格納部１０５の機能を制御機５が備える場合、ナースコール親機６が画像データベースから取得した呼出画像を制御機５が更に取得し、画像サーバ１１の第１の所定のロケーションに格納する。あるいは、制御機５が画像データベースから直接的に呼出画像を取得し、画像サーバ１１の第１の所定のロケーションに格納する。
【００６６】
また、上記実施形態では、呼出種別判定部１０３、ＭＥ画像取得部１０４および画像格納部１０５の機能をナースコール親機６が備える例について説明したが、本発明はこれに限定されない。例えば、これらの機能を制御機５が備えてもよいし、ＩＰアダプタ７が備えてもよい。これらの機能を制御機５が備える場合、制御機５にて呼出種別がＭＥ呼出か否かを判定し、ＭＥ呼出であると判定した場合には制御機５が医療機器２に対してＭＥ画像取得命令を送信する。そして、その応答として医療機器２から送られてきたＭＥ画像を制御機５にて取得し、画像サーバ１１の第２の所定のロケーションに格納する。
【００６７】
また、上記実施形態では、画像データベースにあらかじめ格納されている呼出画像を呼出画像取得部１０２が読み出して取得する例について説明したが、本発明はこれに限定されない。例えば、呼出画像取得部１０２は、制御機５から入力した呼出信号に含まれるナースコール子機の識別情報により特定される部屋番号やベッド番号と、当該識別情報に基づき患者テーブルを参照することによって特定される患者の氏名や年齢などと、呼出信号に含まれる呼出種別とを含む画像を動的に生成することによって呼出画像を取得するようにしてもよい。
【００６８】
また、上記実施形態では、携帯用ナースコール親機の例としてＩＰ携帯電話１０を用いる例について説明したが、ＩＰ携帯電話１０の代わりにＰＨＳ端末を用いてもよい。この場合、例えばＳＩＰサーバ８の代わりにハンディナースコール主装置および構内交換機（ＰＢＸ）が用いられる。また、ＩＰアダプタ７の代わりにＰＢＸアダプタが用いられる。
【００６９】
また、上記実施形態では、ナースコール子機からの呼び出しに対するＩＰ携帯電話１０における応答のための操作としてオフフックを例に挙げて説明したが、本発明はこれに限定されない。例えば、応答ボタンや復旧ボタンなどの応答のためのボタンの操作であってもよい。
【００７０】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００７１】
１  ハンド形子機
２  医療機器
３  壁埋込形子機
４  廊下灯
５  制御機
６  ナースコール親機
７  ＩＰアダプタ
８  ＳＩＰサーバ
９  無線送受信機
１０  ＩＰ携帯電話（携帯用ナースコール親機）
１１  画像サーバ
１０１  呼出信号送信部
１０２  呼出画像取得部
１０３  呼出種別判定部
１０４  ＭＥ画像取得部
１０５  画像格納部
１０６  オフフック検出部
１０７  画像表示制御部
【図１】
0005869231.tif 000002
【図２】
0005869231.tif 000003
【図３】
0005869231.tif 000004